(57)【要約】【課題】従来のカードとは異なり、予め決められた数字や図柄がプレイヤーに分からないようにしたカードで、プレイ上のレベルによりカード１の引き出し口を使い分けすることにより、ゲーム中にカードの数字やゲーム上のルールを変えることが出来るカードゲーム用具を開発することを課題とした。【解決手段】それぞれのカードの引き出し口から補助カードを出し入れして、カードの数字やゲーム上のルールを変えてゲーム展開することを特徴とする。【選択図】図1
2011115353.tif 000002
【特許請求の範囲】
【請求項１】
多角形のカードを使うゲーム用具において、全てのカードに補助カードを収納できる構造を具備し、カードの各辺の外周縁部に設けた引き出し口から、補助カードを出し入れできることを特徴とするカードゲーム用具。
【請求項２】
請求項１の出し口の近傍のカードの両面には、プレイヤーの階級に応じた表示をしておき、補助カードの一方の面には数字を記載し、プレイヤーの階級に応じて指定された引き出し口の補助カードを引き出して、カードと補助カードの情報を組み合わせてゲームを展開することを特徴とする請求項１のカードゲーム用具を使ったゲーム方法。
【発明の詳細な説明】
【技術分野】
【０００１】
本発明は、カードゲームを進めていくなかで、順番が来たとき、カードに記されている情報とカードに隠され収納されている補助カードの情報とを組み合わせて、ゲームの展開を面白くすることができるカードゲーム用具に関する。
【背景技術】
【０００２】
従来のトランプは、エースからキングまでの１３枚のカードからなり、スペード・クローバー・ハート・ダイヤの４種類の５２枚のカードとジョーカーを含む予め決められたカードのゲーム用具である。この従来のトランプを使ったページワンは、カードをプレイヤー全員に配り、各プレイヤーはカードの数字記号やマークを組み合わせて、ルールに基づき手持ちのカードを無くすゲームである。また、トランプを使った大富豪と言うゲームがありページワンと類似しているが、ゲームを続ける中で勝者は大富豪となり敗者が大貧民となるゲームがある。
【０００３】
ウノは、四色の数字カードと文字カードの合計１０８枚から構成し、各プレイヤーに７枚のカードを伏せて配り、残りのカードはテーブルの中央に伏せて山札とし一番上の１枚を親がオープンして、プレイヤーは出されている場札と、色、数字、文字のうち、どれか１つでも共通なものが手元にあれば、それを場札の上に重ねて出し、前のプレイヤーが文字カードの場合はそれに従ってプレイを進行させて、１人のプレイヤーの手札が無くなるとゲームが終了する。
【０００４】
最近のゲームでは、特許文献1または特許文献２のように、カードどうしの絵柄を重ねて所定の絵柄を完成させるゲームや、特許文献３のように、カード基板に外部から補助カードを挿入するポケット付きゲーム用カードも出願されている。
【先行技術文献】
【特許文献】
【０００５】
【特許文献１】特開２００３−３３５８４号公報
【特許文献２】特開２００７−２９６３８１号公報
【特許文献３】特開２００１−１２０７０６号公報
【発明の概要】
【発明が解決しようとする課題】
【０００６】
トランプやウノは、カード自身に数字、マーク、文字などが表示してあり、そのカードで次のプレイヤーが出せるカードを指定し、手持ちのカードを減らしていくゲームである。しかしながら、カード自身の役割が数字、マーク、文字などで一覧的に表示されているために、プレイが進み手持ち枚数が減ってくると相手方の手の内が読めてくるためにゲームの面白さが半減される場合がある。
【０００７】
また、トランプを使った大富豪は、親が宣言したルールに従ってカードを場に捨てて行くが、カードの組み合わせが限られてしまいゲームの幅が狭くなってしまうので、ゲームの面白みがなくなってくる。また、手元のカードがなくなって暫定的なトップになった後にプレイヤーの身分の格上げや格下げがあっても、ゲームの途中ではプレイヤーの階級の格上げや格下げはない。
【０００８】
文献に挙げたような１枚のカードに表示されている機能・役割などの情報を付加するための出願もされている。しかし、特許文献１と特許文献２は、カードを重ね合わせるために、さまざまな形の絵柄を合成するために多くのカードを必要とし、１枚のカードではゲーム上の戦略を決めることができない。
また、特許文献３は、カード基板のポケットに補助カードを挿入することは特許文献１や特許文献２と同じく、１枚のカードではゲーム上の戦略を決められず、図柄の合う組み合わせのカードが必要となりカードの選択肢も少なくなる。
【０００９】
本発明は上記の問題点を解決し、ゲーム上でのプレイヤーの階級の昇格や降格により、階級に応じて決められている補助カードを引き出して、その裏表に記載されている情報により、ゲームの展開を面白くすることができるカードゲーム用具を開発することを課題とする。
【課題を解決するための手段】
【００１０】
上記課題を解決するために、第一発明は、全てのカードに補助カードを収納できる構造を具備し、カードの各辺の外周縁部に設けた引き出し口から、補助カードを出し入れできることを特徴とする。
【００１１】
本発明の第二発明である請求項２のゲーム用具は、請求項１の出し口の近傍のカードの両面には、プレイヤーの階級に応じた表示をしておき、補助カードの一方の面には数字を記載し、プレイヤーの階級に応じて指定された引き出し口の補助カードを引き出して、カードと補助カードの情報を組み合わせてゲームを展開することを特徴とする。
【発明の効果】
【００１２】
本発明のカードは各辺に補助カードを収めた引き出し口があり、引き出して見られる補助カードには数字を表示した表面と、ゲームの進行指示を表示した裏面があり、プレイヤーの階級またはレベルが表示されている辺の引き出し口から補助カードを引き出して、見られる数字をそのカードの有効な数字とする。手持ちの複数のカードの数字の合計が予め定めた昇格に必要な数字（例えば２１）に合致したときに昇格するものとし、その複数のカードを場に出して、同じ枚数の新しいカードに交換して、昇格した階級又はレベルでゲームを続ける。このようにプレイヤーの階級の変化に伴って、同じ一枚のカードでありながら使える数字が変化するので、複雑なゲームの展開を競い合うことができるカードゲーム用具である。また、補助カードの裏面にはプレイヤーのプレイを指示する情報を持たせることができるので、複雑なゲーム展開を楽しむことができる。
【図面の簡単な説明】
【００１３】
【図１】本発明のカードゲーム用具の説明図
【図２】本発明のカードゲーム用具の上部面の説明図
【図３】本発明のカードゲーム用具の下部面の内部構造の説明図
【図４】補助カードの説明図
【図５】下部面に補助カードを収納した説明図
【図６】上部面と補助カードの組み合わせの説明図
【図７】カードの引き出し口に収納する補助カードの数字と枚数の説明図
【図８】下部面と補助カードの組み合わせの説明図
【発明を実施するための形態】
【００１４】
本発明を実施するための形態について、実施の一例に基づき図面を参照しつつ以下詳細に説明する。
【実施例】
【００１５】
実施例では請求項１のゲーム用具の形を正方形のカードとして、請求項２のゲーム展開も含めて具体的に説明する。
【００１６】
実施例では厚紙でカード１を作成したが、その大きさは縦および横の長さがそれぞれ約７０ｍｍの正方形とし、カード１の全体の構造は次のように各パーツを作成し、図１に示すように仕上げた。
【００１７】
カード１は、下部面３に凸部チップ５を貼り付けて、下部構造に補助カード６を入れるための空間部を作り、それぞれの空間部に補助カード６を入れて上部面２を重ね合わせて張り合わせたものである。
【００１８】
以下、それぞれパーツの詳細とカード１を作り上げるまでを説明する。
【００１９】
上部面２は、厚さが約０．３ｍｍのシートで、図２に示すように４辺の引き出し口近傍には、レベル１、レベル２、レベル３、レベル４の階級を表示した。なお、それぞれ引き出し口には補助カード６を指で出し入れしやすくするために切り込みの凹みを設けが、補助カード６の出し入れがしやすければ特に拘ることはない。
【００２０】
下部面３は、上部面２と同じ大きさであるが、図３示すように白地の部分に厚さが約０．４ｍｍの凸部チップ５を下部面３に貼り付けて、約０．４ｍｍの凹部４をもたせて４つの補助カード６を入れるための空間部を形成した。
【００２１】
補助カード６は、厚さが約０．３ｍｍのシートを使って、１枚毎に、表側には０から１０までの数字と、裏側にはゲーム進行の指示を表示して、図４に示すよう形に仕上げた。
【００２２】
このようにして完成したパーツを使って、図５に示すように下部面３の凹部に４枚の補助カード６を収納して、上部面２を張り合わせてカード１を完成した。
【００２３】
試作では加工のし易い厚紙を使用して試作したが、製品化に当たっては、射出成型や金型などで製造した樹脂素材のパーツを組み立て加工もよい。
【００２４】
そして、カード１の４つの引き出し口に組み込む補助カード６は、図６に示すように、レベル１の引き出し口には０から７の中の１つ数字の補助カード６と、レベル２の引き出し口には０から８の中の１つ数字の補助カード６と、レベル３の引き出し口には０から９の中の１つ数字の補助カード６と、レベル４の引き出し口には１から１０の中の１つ数字の補助カード６を使った。
【００２５】
さらに、ゲーム展開を面白くするために、それぞれの引き出し口に組み込む補助カード６の数字は、図７に示すように、レベル１の引き出し口には０の数字の補助カード６を１８個と、１から７の数字の補助カード６を各６個で構成し、レベル２の引き出し口には０の数字の補助カード６を１２個と、１から８の数字の補助カード６を各６個で構成し、レベル３の引き出し口には０から９の数字の補助カード６を各６個で構成し、レベル４の引き出し口には１から１０の数字の補助カード６を各６個で構成して、合計２４０個の補助カード６は、６０枚のカード１の中の引き出し口に振り分けて組み込んだ。
【００２６】
また、補助カード６の裏面には、図８に示すように、何も表示がない場合と、正常、不況、恐慌、バブルなどのゲームの進行指示を表示したので、補助カード６を引き出すと、カード１の表面と同じようにカード１の裏面では、何も表示がない場合と、正常、不況、恐慌、バブルなどが見られるようにした。
【００２７】
このように完成した１組６０枚のカード１は、カード１の引き出し口から補助カード６を引き出して、現れた数字を合計してゲーム展開する表面と、現れたゲームの進行指示で進行中のルールの変更や他のプレイヤーに強要する裏面とを使い分けてゲーム展開が出来るようにした。
【００２８】
以下、具体的なゲーム方法を詳細に説明する。
【００２９】
先ず、ゲームを始める前に、全員がレベル１からスタートすることを確認し、この実施例ではカード１の裏面に現れる補助カード６の正常、不況、恐慌、バブルのゲームの進行指示が出た場合には、それまでの昇格するための組み合わせ数を例えば、正常では２１、不況では２５、恐慌では２９、バブルでは１７に変えることを決めておく。
【００３０】
さらに、具体的にゲームを始めるには、ジャンケンなどで決められた親が、全ての補助カード６を仕舞い込んでカード１をシャッフルし、全てのプレイヤーに５枚ずつ配り、残ったカード１は場に置いて前準備が終わる。
【００３１】
プレイヤーは、手持ちのカードを組み合わせて、カード１の合計が丁度２１になった時に、そのカード１の組み合わせを場に出し他のプレイヤーに見せて、自分の階級を昇格する。また、見せたカード１はそのまま場に捨て、場の山から新たに捨てた枚数のカード１を貰ってプレイを続ける。
【００３２】
しかし、合計の数字の組み合わせが丁度２１ならない場合は、合計の数字の組み合わせが丁度２１になるまで、自分の順番が来るたびに、２枚以内の手持ちのカード１を場の山の上のカード１と交換を繰り返す。
【００３３】
このように、自分の順番になると、カード１の表面だけでなく、裏面を使うことも選択できるので、引き出されている補助カード６の裏面を使って、進行中のカードの組み合わせの合計数を変えることもできる。
【００３４】
この他にも、カード１には、革命や一揆など、いろいろな補助カード６が組み込まれているので、ルールの変更や対戦相手に階級の降格を強要することもできるので、それぞれのプレイヤーの戦略が実行できる。
【００３５】
以上のような、さまざまなゲーム展開のもとに階級を昇格して、最高のレベル４になると、最初に昇格に必要な数の組み合わせができたプレイヤーが勝利する。  また、２位以下のプレイヤーはそのままゲームを続けて順位を決めても良い。
【００３６】
さらに、ゲーム中のプレイヤー間の階級を分りやすくするために、各レベルの看板を予め用意しておき、昇格した時や降格した時に手元の看板を交換して、プレイヤーの身分を表示しても良い。
【００３７】
実施例では、カード１の中の補助カード６を、０の数字から１０の中で組み合わせカード構成したが、１０を超える数字や０よりも小さいマイナスの数字を加えた、カード編成にしても良い。
【００３８】
本発明の実施例では、正方形のカードで４つの引き出し口を使ったが、多角形や円盤状のカードに形成することで、カードの中に引き出し口の数を増やして多種類の補助カードを組み込み、より複雑にゲーム展開もできる。
【符号の説明】
【００３９】
１  カード
２  上部面
３  下部面
４  凹部
５  凸部チップ
６  補助カード
【図１】
2011115353.tif 000003
【図２】
2011115353.tif 000004
【図３】
2011115353.tif 000005
【図４】
2011115353.tif 000006
【図５】
2011115353.tif 000007
【図６】
2011115353.tif 000008
【図７】
2011115353.tif 000009
【図８】
2011115353.tif 000010
【手続補正書】
【提出日】平成22年3月31日(2010.3.31)
【手続補正１】
【補正対象書類名】特許請求の範囲
【補正対象項目名】請求項１
【補正方法】変更
【補正の内容】
【請求項１】
多角形のカードを使うゲーム用具において、全てのカードの各辺毎に補助カードを収納できる構造を具備し、カードの各辺の外周縁部に設けた引き出し口から、補助カードを出し入れできることを特徴とするカードゲーム用具。
【手続補正２】
【補正対象書類名】特許請求の範囲
【補正対象項目名】請求項２
【補正方法】変更
【補正の内容】
【請求項２】
前記引き出し口の近傍のカードの両面に、プレイヤーの階級に応じた表示をし、補助カードの一方の面に数字を記載し他方の面にゲームの進行指示を記載することを特徴とする請求項１に記載されたカードゲーム用具。
【手続補正３】
【補正対象書類名】明細書
【補正対象項目名】００１０
【補正方法】変更
【補正の内容】
【００１０】
上記課題を解決するために、第一発明は、全てのカードの各辺毎に補助カードを収納できる構造を具備し、カードの各辺の外周縁部に設けた引き出し口から、補助カードを出し入れできることを特徴とする。
【手続補正４】
【補正対象書類名】明細書
【補正対象項目名】００１１
【補正方法】変更
【補正の内容】
【００１１】
本発明の第二発明である請求項２のゲーム用具は、プレイヤーの階級に応じた表示をし、補助カードの一方の面に数字を記載し他方の面にゲームの進行指示を記載することを特徴とする。